(57)【要約】【課題】静電気帯電試験装置において、試験試料に帯電する帯電量を可変することが可能であるようにすることを課題とする。【解決手段】コロナ帯電装置２０は、ベース組立体１００と、このベース組立体１００の上側にＺ方向に移動可能に設けてある筐体組立体１１０と、この筐体組立体１１０の内部に張ってあるコロナワイヤ１３０と、筐体組立体１１０を昇降させる筐体組立体移動機構１５０と、コロナワイヤ１３０を筐体組立体１１０の内部で昇降させるコロナワイヤ移動機構１７０とを有する。コロナワイヤ１３０は筐体組立体１１０と共にターンテーブル１４に接近され、或いは、単独でターンテーブル１４に接近され、試験試料に帯電する帯電量が可変される。【選択図】図５
2008039563.tif 000002
【特許請求の範囲】
【請求項１】
試験試料が取り付けられるターンテーブルに対向してコロナ帯電装置を配置してなる構成であり、試験試料が取り付けられた前記ターンテーブルを回転させ、且つ、前記コロナ帯電装置を駆動させて前記試験試料を帯電させて、前記試験試料の特性を測定する静電気帯電試験装置において、
前記コロナ帯電装置は、ベースと、前記ベース上に配置してあり、前記ターンテーブルに対向する側に開口を有する筐体と、前記筐体の内部に張られたコロナワイヤと、前記筐体を前記ベースに対して移動させる筐体移動機構とを有する構成としたことを特徴とする静電気帯電試験装置。
【請求項２】
試験試料が取り付けられるターンテーブルに対向してコロナ帯電装置を配置してなる構成であり、試験試料が取り付けられた前記ターンテーブルを回転させ、且つ、前記コロナ帯電装置を駆動させて前記試験試料を帯電させて、前記試験試料の特性を測定する静電気帯電試験装置において、
前記コロナ帯電装置は、前記ターンテーブルに対向する側に開口を有する導電性の筐体と、前記筐体の内部に張られたコロナワイヤと、前記コロナワイヤを前記筐体の内部で移動させるコロナワイヤ移動機構とを有する構成としたことを特徴とする静電気帯電試験装置。
【請求項３】
試験試料が取り付けられるターンテーブルに対向してコロナ帯電装置を配置してなる構成であり、試験試料が取り付けられた前記ターンテーブルを回転させ、且つ、前記コロナ帯電装置を駆動させて前記試験試料を帯電させて、前記試験試料の特性を測定する静電気帯電試験装置において、
前記コロナ帯電装置は、ベースと、前記ベース上に配置してあり、前記ターンテーブルに対向する側に開口を有する筐体と、前記筐体の内部に張られたコロナワイヤと、前記筐体を前記ベースに対して移動させる筐体移動機構と、前記コロナワイヤを前記筐体の内部で移動させるコロナワイヤ移動機構とを有する構成としたことを特徴とする静電気帯電試験装置。
【請求項４】
ベースと、前記ベース上に配置してあり、上側に開口を有する筐体と、前記筐体の内部に張られたコロナワイヤと、前記筐体を前記ベースに対して移動させる筐体移動機構とを有する構成としたことを特徴とするコロナ帯電装置。
【請求項５】
上側に開口を有する筐体と、前記筐体の内部に張られたコロナワイヤと、前記コロナワイヤを前記筐体の内部で移動させるコロナワイヤ移動機構とを有する構成としたことを特徴とするコロナ帯電装置。
【請求項６】
ベースと、前記ベース上に配置してあり、上側に開口を有する筐体と、前記筐体の内部に張られたコロナワイヤと、前記筐体を前記ベースに対して移動させる筐体移動機構と、前記コロナワイヤを前記筐体の内部で移動させるコロナワイヤ移動機構とを有する構成としたことを特徴とするコロナ帯電装置。
【発明の詳細な説明】
【技術分野】
【０００１】
本発明は静電気帯電試験装置に係り、特に、試験試料の帯電特性及び減衰特性を測定する静電気帯電試験装置に関する。
【背景技術】
【０００２】
静電電子写真方式の複写機においては感光ドラムの帯電特性及び減衰特性は製品の品質上重要である。感光ドラムを構成する感光体の帯電特性及び減衰特性を測定するために静電気帯電試験装置が使用される。
【０００３】
静電気帯電試験装置は、感光体である試験試料が載るターンテーブル、このターンテーブルに対向して配置されたコロナ帯電装置と、同じくターンテーブルに対向して配置された電位測定装置とを備えた構成である。
【０００４】
従来の静電気帯電試験装置は、コロナ帯電装置のコロナ放電を発生するコロナワイヤのターンテーブルに対する高さ位置が固定である構成であった。
【特許文献１】特開２００３−１９４７７６号公報
【発明の開示】
【発明が解決しようとする課題】
【０００５】
このため、試験試料に帯電する帯電量を可変させることは出来なかった。このため、試験試料の評価を十分に詳細に行っているとはいえない状態であった。
【０００６】
そこで、本発明は、上記課題を解決した静電気帯電試験装置を提供することを目的とする。
【課題を解決するための手段】
【０００７】
本発明は、試験試料が取り付けられるターンテーブルに対向してコロナ帯電装置を配置してなる構成であり、試験試料が取り付けられた前記ターンテーブルを回転させ、且つ、前記コロナ帯電装置を駆動させて前記試験試料を帯電させて、前記試験試料の特性を測定する静電気帯電試験装置において、
前記コロナ帯電装置は、ベースと、前記ベース上に配置してあり、前記ターンテーブルに対向する側に開口を有する筐体と、前記筐体の内部に張られたコロナワイヤと、前記筐体を前記ベースに対して移動させる筐体移動機構とを有する構成としたことを特徴とする。
【発明の効果】
【０００８】
本発明によれば、内部にコロナワイヤが張られた筐体が、ベース上に配置してあり、筐体移動機構によってベースに対して移動される構成であるため、試験試料に帯電する帯電量を可変させることが出来、従来に比較して試験試料の評価を詳細に行うことが出来る。
【発明を実施するための最良の形態】
【０００９】
次に本発明の実施の形態について説明する。
【実施例１】
【００１０】
［静電気帯電試験装置１の概要］
図１は本発明の１実施例になる静電気帯電試験装置１の概略構成図である。図２（Ａ）、（Ｂ）は図１中、ターンテーブル、コロナ帯電装置、電位測定装置の部分を示す図である。
【００１１】
静電気帯電試験装置１は、本体２の内部に、ターンテーブル装置１１と、コロナ帯電装置２０と、電位測定装置３０と、露光装置４０とを有する構成である。本体２のうち内部の取付け台６０より上側の室３は暗い暗室である。ターンテーブル１４及びコロナ帯電装置２０はこの暗室３の内部に配置してある。
【００１２】
ターンテーブル装置１０は、モータ１２によってベルト駆動されて回転する回転軸１３と、その回転軸１３の上端に固定された絶縁性のターンテーブル１４とを有する。回転軸１３の上端側は、固定の取付け台６０に、軸受１９によって支持されている。このターンテーブル１４には、貫通した開口窓１４ａが形成してあり、ターンテーブル１４の上面に、この開口窓１４ａを覆うホルダ１５が上方に開き可能に設けてある。試験試料１０は、上方に開かれたホルダ１５の裏面に取り付けられ、ホルダ１５を閉じることによって、開口窓１４ａ内にセットされる。
【００１３】
コロナ帯電装置２０は、コロナ放電を利用した帯電装置であり、取付け台６０上に配置してあり、ターンテーブル１４の下面に対向している。コロナ帯電装置２０は、コロナ放電を起こして、イオンを発生し、発生したイオンを試験試料１０に暴露して、試験試料１０に電荷を与え、これを帯電させる。
【００１４】
取付け台６０は、回転軸１３に関してコロナ帯電装置２０とは反対側の箇所に開口窓６１を有する。取付け台６０上には開口窓６１を囲むようにブラケット６２が取り付けてあり、このブラケット６２の内側が電位測定部６３であり、且つ、露光部６４である。
【００１５】
電位測定装置３０は、ブラケット６２の内側に配置された、測定プローブとしてのネサガラス電極３１と、ネサガラス電極３１に接続してある電位計３２とよりなる。電位測定装置３０は、試験試料１０と非接触状態で試験試料１０の電位を測定する。
【００１６】
露光装置４０は、ハロゲンランプ４１と、筒状の導光部４２と、反射鏡４３とを有し、ハロゲンランプ４１の光が、反射鏡４３で反射されて、導光部４２を通って、露光部６４に到る。
【００１７】
ここで、上記静電気帯電試験装置１による試験試料の帯電特性及び減衰特性の測定の一つの例について説明する。
【００１８】
ターンテーブル１４は、図２（Ａ）に示す位置に停止している。先ず、ホルダ１５を開いて試験試料１０を開口窓１４ａ内にセットし、次いで、コロナ帯電装置２０を動作させてコロナ放電を起こさせ、続いて、モータ１２を駆動させ、ターンテーブル１４を矢印Ｃ方向に回動させる。試験試料１０は暗室内状態で移動する。試験試料１０がコロナ帯電装置２０の真上を通過する過程で、試験試料１０が帯電される（図３の線７０参照）。
【００１９】
続いて、試験試料１０が電位測定部６２の真上に到った状態で、モータ１２を停止させ、ターンテーブル１４を停止させ、試験試料１０を電位測定部６２の真上に維持させる。
【００２０】
この状態で電位測定装置３０を動作させ、暗室内状態の試験試料１０の電位を測定する（図３の線７１参照）。これによって、試験試料１０の暗減衰特性が測定される。なお、コロナ帯電装置２０の動作は停止させる。
【００２１】
所定時間経過後に、露光装置４０を動作させる。即ち、ハロゲンランプ４１が点灯され、ハロゲンランプ４１よりの光が露光部６３に導かれて、試験試料１０を照射する。これによって、試験試料１０の光減衰特性（図３の線７２参照）が測定される。
［コロナ帯電装置２０の構成］
次に、コロナ帯電装置２０について説明する。
【００２２】
図４（Ａ）はコロナ帯電装置２０の平面図、同図（Ｂ）は正面図、同図（Ｃ）は右側面図、同図（Ｄ）は底面図である。図５は、コロナ帯電装置２０の調整態様を示す図である。図６は図４（Ａ）中、線VI-VI線に沿うコロナ帯電装置２０の断面図である。図７はコロナ帯電装置２０を分解して示す図である。Ｘ１−Ｘ２はコロナ帯電装置２０の長手方向、Ｙ１−Ｙ２はコロナ帯電装置２０の幅方向、Ｚ１−Ｚ２はコロナ帯電装置２０の高さ方向である。コロナ帯電装置２０は、Ｙ１−Ｙ２方向に延在する中心線ＣＬＹに関して左右対称であり、且つ、Ｘ１−Ｘ２方向に延在する中心線ＣＬＸに関して左右対称である構成である。Ｘ２側の部品は添字を付さない符号で示し、Ｘ１側の部品は添字Ｘ１を付した符号で示す。構成の説明は、Ｘ２側について行い、Ｘ１側の構成については適宜省略する。
【００２３】
図５（Ａ）は通常の状態（調整前の状態）である。図５（Ｂ）は筐体組立体１１０が最大に上昇された状態、図５（Ｃ）はコロナワイヤ１３０が最大に上昇された状態、図５（Ｄ）は筐体組立体１１０が最大に上昇され、且つコロナワイヤ１３０も最大に上昇された状態を示す。
【００２４】
コロナ帯電装置２０は、大略、ベース組立体１００と、このベース組立体１００の上側にＺ方向に移動可能に設けてある筐体組立体１１０と、この筐体組立体１１０の内部に、コロナワイヤ（チャージワイヤ）１３０が張ってあり、このコロナワイヤ１３０がＺ方向に移動可能に支持してある構成である。コロナ帯電装置２０は、筐体組立体１１０を昇降させる筐体組立体移動機構１５０と、コロナワイヤを昇降させるコロナワイヤ移動機構１７０とを有する。
【００２５】
ベース組立体１００は、スライドレール１０１上にベース部材１０２、１０２Ｘ１が間をあけて配置されてねじ１０３によってねじ止めしてある構成である。
【００２６】
ベース部材１０２は、Ｌ字形状であり、水平の本体部１０２ａと、本体部１０２ａのＸ２の端の垂直腕部１０２ｂとを有する。
【００２７】
筐体組立体１１０は、金属板製を曲げてＵ字形状としてある筐体本体１１１と、絶縁性の本体部材１１２、１１２Ｘ１と、底板部材１１５とを有する。筐体本体１１１は、底板部１１１ａと、側板部１１１ｂ，１１１ｃとを有する。本体部材１１２、１１２Ｘ１は、例えばテフロン（登録商標）製であり、底板部１１１ａ上に、Ｘ方向上、間をあけて配置されてねじ１１３によってねじ止めしてある。底板部材１１５は、筐体本体１１１の中央の下面にねじ１１６によってねじ止めしてある。上面のうちＸ２側とＸ１側とが、共に絶縁性の蓋板１１９、１１９Ｘ１によって塞がれている。よって、筐体組立体１１０は、Ｙ１側とＹ２側の側面が筐体本体１１１の側板部１１１ｂ，１１１ｃによって塞がれており、且つ、上面のうちＸ２側とＸ１側とが、蓋板１１９、１１９Ｘ１によって塞がれており、上面のうちコロナワイヤ１３０が張ってある中央部が開口１２０となっている構成である。
【００２８】
コロナワイヤ１３０は、タングステン或いはステンレス製の細い線であり、筐体組立体１１０の内部の略中心を、コロナワイヤ支持ブロック１７１、１７１Ｘ１の間に張ってあり、コイルばね部材１３１、１３１Ｘ１によって張力を付与されている。なお、コロナワイヤ１３０は、コロナワイヤ支持ブロック１７１、１７１Ｘ１の上面の中央のＶ溝部１７２に嵌合して位置決めされており、コロナワイヤ１３０は開口１２０の中央をＸ方向に横切っている。コイルばね部材１３１、１３１Ｘ１はコロナワイヤ１３０の両端に接続してある。コイルばね部材１３１の自由端は、本体部材１１２にねじ１３３で固定してある電極部材１３２に掛止してあり、コイルばね部材１３１Ｘ１の自由端は、本体部材１１２にねじ１３３Ｘ１で固定してある電極部材１３２Ｘ１に掛止してあり、コイルばね部材１３１、１３１Ｘ１は共に斜めの向きにあり、コロナワイヤ支持ブロック１７１、１７１Ｘ１に対してはＺ２方向の力を付与している。端子部材１３３は電極部材１３２と嵌合して本体部材１１２に固定してある。
［筐体組立体移動機構１５０の構成］
次に、筐体組立体移動機構１５０について、図７、図８及び図９（Ａ）等を参照して説明する。
【００２９】
図８は図７中、縦長の四角Ａで囲んだ部分を拡大して示す斜視図である。図９（Ａ）はこの長円Ａで囲んだ部分の部品を組み立ててなる筐体組立体移動機構１５０を拡大して示す。
【００３０】
特に図８に示すように、ベース部材１０２の垂直腕部１０２ｂの内側には、Ｚ方向に延在するガイド溝１５１が形成してある。垂直腕部１０２ｂの下端部には、貫通穴１５２及びボルト頭部収容凹部１５３が形成してある。凹部１５３はスライドレール１０１の一部によって覆われている。垂直腕部１０２ｂの上端部には、ねじ穴１５４がガイド溝１５１にまで貫通して形成してある。
【００３１】
１５５は絶縁性のガイド駒部材であり、本体部材１１２のＸ２側の凹部に嵌合した状態で、ねじ１５６によって筐体本体１１１の底板部１１１ａに固定してあり、本体部材１１２よりＸ２側に突き出ており、ガイド溝１５１内に移動可能に嵌合している。ガイド駒部材１５５には、Ｚ２側よりＺ１方向に途中までねじ穴１５７が形成してある。ここで、ねじ穴１５７とはめねじ部が形成してある所謂めくら穴をいう。
【００３２】
１５８はボルトであり、その頭部１５８ａには六角穴１５８ｂを有し、Ｚ２側から貫通穴１５２を貫通してガイド溝１５１に突き出ており、ねじ穴１５７に螺合している。頭部１５８ａは凹部１５３内に収まってここに拘束されている。スライドレール１０１には、凹部１５３を塞いでいる部分に、六角棒スパナを差し込むための穴１０１ａが形成してある。
【００３３】
１６０は止めねじであり、Ｚ１側からねじ穴１５４内にねじ込んである。
【００３４】
上記の筐体組立体移動機構１５０と同じ構成の筐体組立体移動機構１５０Ｘ１がベース組立体１００及び筐体組立体１１０のＸ１側にも設けてある。
［コロナワイヤ移動機構１７０の構成］
次に、コロナワイヤ移動機構１７０について、図７、図１０及び図１１（Ａ）等を参照して説明する。
【００３５】
図９は図６中、縦長の四角Ｂで囲んだ部分を拡大して示す斜視図である。図１０（Ａ）はこの長円Ｂで囲んだ部分の部品を組み立ててなるコロナワイヤ移動機構１７０を拡大して示す。
【００３６】
特に図９に示すように、１７１は絶縁性のコロナワイヤ支持ブロックであり、上面の中央にＶ溝部１７２を有し、両側に突起部１７３、１７４を有し、且つ、Ｚ２側よりＺ１方向に途中までねじ穴１７５が形成してある。
【００３７】
本体部材１１２のＸ１側には、Ｙ１側とＹ２側に、柱部１７６，１７７が形成してある。柱部１７６，１７７の対向する面には、ガイド溝１７６ａ，１７７ａが形成してある。
【００３８】
底板部材１１５には、柱部１７６，１７７の間の位置に、貫通穴１７８及びボルト頭部収容凹部１７９が形成してある。凹部１７９はスライドレール１０１の一部によって覆われている。
【００３９】
１８０はボルトであり、その頭部１８０ａには六角穴１８０ｂを有し、Ｚ２側から貫通穴１７８を貫通してガイド溝１５１に突き出ており、ねじ穴１７５に螺合している。頭部１８０ａは凹部１７９内に収まってここに拘束されている。スライドレール１０１には、凹部１５３を塞いでいる部分に、六角棒スパナを差し込むための穴１０１ｂが形成してある。
【００４０】
上記のコロナワイヤ移動機構１７０と同じコロナワイヤ移動機構１５０Ｘ１が本体部材１１２Ｘ１のＸ２側にも形成してある。
【００４１】
上記の構成のコロナ帯電装置２０は、図４（Ｃ）及び図５に示すように、取付け台６０上に固定してあるガイドレール６５にスライドレール１０１を嵌合案内させて、取付け台６０上に取り付けてある。
【００４２】
通常は、コロナ帯電装置２０は、図４、図５（Ａ）及び図６に示すように、筐体組立体１１０は下降した高さ位置にあり、コロナワイヤ支持ブロック１７１、１７１Ｘ１は共に下降した高さ位置にある。これによって、特に、図５（Ａ）に示すように、コロナワイヤ１３０は、基準の高さＨ０に対して初期の高さＨ１に位置しており、ターンテーブル１４の下面よりＺ２方向に基準の距離Ｓ１（９ｍｍ）離れた位置に位置している。また、コロナワイヤ１３０は、筐体組立体１１０の底面及び左右の側面に対して基準の距離Ｕ１，Ｖ１離れた位置に張ってある。Ｕ１，Ｖ１は共に１０ｍｍである。基準の高さＨ０は、取付け台６０の上面である。また、筐体組立体１１０とターンテーブル１４との間には、寸法Ｔ（約４ｍｍ）の空間が存在している。
［試験試料の帯電量を増加させる場合の操作及び動作］
次に、試験試料に帯電する帯電量を増加させる場合の操作及び動作について説明する。
【００４３】
筐体組立体移動機構１５０、１５０Ｘ１を調整操作することによって、或いは、コロナワイヤ移動機構１７０、１７０Ｘ１を調整操作することによって、更には、筐体組立体移動機構１５０、１５０Ｘ１とコロナワイヤ移動機構１７０、１７０Ｘ１との両方を調整操作することによって、コロナワイヤ１３０のターンテーブル１４に近づけることが可能である。
【００４４】
［コロナワイヤ１３０の筐体組立体１１０内における位置は変えないで、コロナワイヤ１３０をターンテーブル１４に近づける場合］
コロナ帯電装置２０を図２（Ａ）中、矢印Ｄ方向に引き抜いて静電気帯電試験装置１より取り外し、この状態で、筐体組立体移動機構１５０を操作する。即ち、図１２に示すように、ねじ回し２００を使用して止めねじ１６０を緩める方向に回してＺ１方向に後退させ、続いて、六角棒スパナ２０１を使用し、これを穴１０１ａに差し込んで頭部１５８ａの六角穴１５８ｂに嵌合させ、六角棒スパナを回してボルト１５８を緩める方向に回転させる。頭部１５８ａが凹部１５３内に拘束されているため、ガイド駒部材１５５がガイド溝１５１内でＺ１方向に移動され、筐体組立体１１０がＺ１方向に上動される。筐体組立体１１０の移動量は、ゲージ等を使用して測定される。最後に、止めねじ１６０を締める方向に回し、止めねじ１６０の先端をガイド駒部材１５５の上面に押し付けることによって調整が完了する。Ｘ１側の筐体組立体移動機構１５０Ｘ１も同様に操作する。その後、コロナ帯電装置２０を差し込んで静電気帯電試験装置１に取り付ける。
【００４５】
図５（Ｂ）、図９（Ｂ）及び図１３（Ａ），（Ｂ）は、最大に調整されたコロナ帯電装置２０が静電気帯電試験装置１に取り付けられた状態を示す。
【００４６】
筐体組立体１１０が初期の位置よりＺ１方向に最大に（例えば３．５ｍｍ）移動されており、コロナワイヤ１３０は、筐体組立体１１０内における位置を変えないで、初期の高さＨ１よりＺ１方向に移動して、Ｈ２となり、コロナワイヤ１３０とターンテーブル１４との間の距離がＳ２と短くなって、コロナワイヤ１３０がターンテーブル１４に近づいた状態となる。これによって、試験試料に帯電する帯電量を増加させることが出来る。
【００４７】
［筐体組立体１１０の高さ位置は変えないで、コロナワイヤ１３０をターンテーブル１４に近づける場合］
コロナ帯電装置２０を引き抜いて静電気帯電試験装置１より取り外し、この状態で、コロナワイヤ移動機構１７０を操作する。即ち、図１４に示すように、六角棒スパナ２０２を使用し、これを穴１０１ｂに差し込んで頭部１８０ａの六角穴１８０ｂに嵌合させ、六角棒スパナを回してボルト１８０を緩める方向に回転させる。頭部１８０ａが凹部１７９内に拘束されているため、コロナワイヤ支持ブロック１７１が、両側に突起部１７３、１７４を夫々ガイド溝１７６ａ，１７７ａに案内されつつ、Ｚ１方向に移動され、コロナワイヤ１３０が迫り上げられる。Ｘ２側のコロナワイヤ移動機構１７０Ｘ１も同様に操作する。その後、コロナ帯電装置２０を差し込んで静電気帯電試験装置１に取り付ける。
【００４８】
図５（Ｃ）、図１１（Ｂ）及び図１５（Ａ），（Ｂ）は、最大に調整されたコロナ帯電装置２０が静電気帯電試験装置１に取り付けられた状態を示す。
【００４９】
筐体組立体１１０は移動されないで、コロナワイヤ１３０だけが筐体組立体１１０の内部でＺ１方向に最大に移動されて、初期の高さＨ１よりＺ１方向に移動して、Ｈ３となり、コロナワイヤ１３０とターンテーブル１４との間の距離がＳ３と短くなって、コロナワイヤ１３０がターンテーブル１４に近づいた状態となる。これによって、試験試料に帯電する帯電量を増加させることが出来る。
【００５０】
なお、コロナワイヤ１３０の筐体組立体１１０の内部での上昇は、コイルばね部材１３１、１３１Ｘ１が伸びることによって可能となっている。また、コロナワイヤ１３０は上昇した後にも、コイルばね部材１３１、１３１Ｘ１のばね力によって、正常に張られている。また、コロナワイヤ支持ブロック１７１、１７１Ｘ１がコイルばね部材１３１、１３１Ｘ１のばね力によってＺ２方向に付勢されているため、コロナワイヤ支持ブロック１７１、１７１Ｘ１を柱部１７６，１７７に固定するためのねじは不要である。
【００５１】
［筐体組立体１１０を上昇させ、且つ、コロナワイヤ１３０を上昇させて、コロナワイヤ１３０をターンテーブル１４に近づける場合］
コロナ帯電装置２０を引き抜いて静電気帯電試験装置１より取り外し、この状態で、筐体組立体移動機構１５０を操作すると共に、コロナワイヤ移動機構１７０を操作する。
【００５２】
図５（Ｄ）は、最大に調整されたコロナ帯電装置２０が静電気帯電試験装置１に取り付けられた状態を示す。
【００５３】
筐体組立体１１０が初期の位置よりＺ１方向に最大に移動されており、且つ、コロナワイヤ１３０が筐体組立体１１０の内部で最大に上昇されており、コロナワイヤ１３０は高さ位置Ｈ４となって、コロナワイヤ１３０とターンテーブル１４との間の距離がＳ４と極く短くなって、コロナワイヤ１３０がターンテーブル１４に相当に近づいた状態となる。これによって、試験試料に帯電する帯電量を相当に増加させることが出来る。
【００５４】
なお、コロナ帯電装置２０は、筐体組立体１１０が初期の高さ位置より上昇に加えて下降が可能であり、且つ、コロナワイヤ１３０が初期の高さ位置より上昇に加えて下降も可能である構成と出来る。
【００５５】
特許請求の範囲の記載の「ベース」は実施例の「ベース組立体１００」が対応し、特許請求の範囲の記載の「筐体」は実施例の「筐体組立体１１０」が対応する。
【００５６】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【図面の簡単な説明】
【００５７】
【図１】本発明の１実施例になる静電気帯電試験装置の概略構成図である。
【図２】図１中、ターンテーブル、コロナ帯電装置、電位測定装置の部分を示す図である。
【図３】試験試料の帯電特性及び減衰特性の測定の一つの例を示す図である。
【図４】コロナ帯電装置の正投象図である。
【図５】コロナ帯電装置の調整態様を示す図である。
【図６】図４（Ａ）中、線VI-VI線に沿うコロナ帯電装置の断面図である。
【図７】コロナ帯電装置を分解して示す図である。
【図８】図７中、長円Ａで囲んだ部分を拡大して示す斜視図である。
【図９】筐体組立体移動機構を拡大して示す図であり、（Ａ）は初期状態、（Ｂ）は調整した後の状態を示す。
【図１０】図７中、長円Ｂで囲んだ部分を拡大して示す斜視図である。
【図１１】コロナワイヤ移動機構を拡大して示す図であり、（Ａ）は初期状態、（Ｂ）は調整した後の状態を示す。
【図１２】筐体組立体移動機構の調整を示す図である。
【図１３】筐体組立体移動機構が最大に調整された状態のコロナ帯電装置を示す図である。
【図１４】コロナワイヤ移動機構の調整を示す図である。
【図１５】コロナワイヤ移動機構が最大に調整された状態のコロナ帯電装置を示す図である。
【符号の説明】
【００５８】
１  静電気帯電試験装置
２  本体
３  暗室
１０  試験試料
１１  ターンテーブル装置
１２  モータ
１４  ターンテーブル
１４ａ  開口窓
２０  コロナ帯電装置
３０  電位測定装置
３１  ネサガラス電極
３２  電位計
４０  露光装置
４１  ハロゲンランプ
４２  導光部
６０  取付け台
６３  電位測定部
６４  露光部
６５  ガイドレール
１００  ベース組立体
１０１  スライドレール
１０２，１０２Ｘ１  ベース部材
１０２ａ  本体部
１０２ｂ  垂直腕部
１１０  筐体組立体
１１１  筐体本体
１１１ａ  底板部
１１１ｂ，１１１ｃ  側板部
１１２，１１２Ｘ１  本体部材
１１５  底板部材
１１９，１１９Ｘ１  蓋板
１３０  コロナワイヤ
１３１，１３１Ｘ１  コイルばね部材
１５０  筐体組立体移動機構
１５１  ガイド溝
１５３  ボルト頭部収容凹部
１５５  ガイド駒部材
１５７  ねじ穴
１５８  ボルト
１５８ａ  頭部
１５８ｂ  六角穴
１６０  止めねじ
１７０  コロナワイヤ移動機構
１７１、１７１Ｘ１  コロナワイヤ支持ブロック
１７５  ねじ穴
１７６，１７７  柱部
１７６ａ，１７７ａ  ガイド溝
１７９  ボルト頭部収容凹部
１８０  ボルト
１８０ａ  頭部
１８０ｂ  六角穴
【図１】
2008039563.tif 000003
【図２】
2008039563.tif 000004
【図３】
2008039563.tif 000005
【図４】
2008039563.tif 000006
【図５】
2008039563.tif 000007
【図６】
2008039563.tif 000008
【図７】
2008039563.tif 000009
【図８】
2008039563.tif 000010
【図９】
2008039563.tif 000011
【図１０】
2008039563.tif 000012
【図１１】
2008039563.tif 000013
【図１２】
2008039563.tif 000014
【図１３】
2008039563.tif 000015
【図１４】
2008039563.tif 000016
【図１５】
2008039563.tif 000017